(57)【要約】【課題】複数の作業者が現場を訪問したときに、作業者が携帯する携帯端末を利用して簡易な方法で訪問履歴管理装置に訪問登録を行うことである。【解決手段】作業者Ａ，Ｂが現場を訪問したことを、現場訪問の履歴を管理する訪問履歴サーバ２に登録する現場訪問登録方法であって、現場を訪問する作業者Ａ，Ｂが携帯するスマートフォン３Ａ，３Ｂのうちスマートフォン３Ａから、スマートフォン３Ａの近傍に位置するスマートフォン３Ｂを利用して、訪問履歴サーバ２に訪問登録を行う。【選択図】図３
2018116461.tif 000002
【特許請求の範囲】
【請求項１】
作業者が現場を訪問したことを、現場訪問の履歴を管理する訪問履歴管理装置に登録する現場訪問登録方法であって、
前記現場を訪問する複数の前記作業者がそれぞれ携帯する携帯端末のうち一つの携帯端末から、当該携帯端末の近傍に位置する他の携帯端末を利用して、前記訪問履歴管理装置に訪問登録を行うことを特徴とする現場訪問登録方法。
【請求項２】
請求項１に記載の現場訪問登録方法であって、
前記携帯端末は、近距離間において他の前記携帯端末と通信可能な近距離無線通信機能を有し、
一つの前記携帯端末は、前記近距離無線通信機能により他の前記携帯端末を探し出して通信し、他の前記携帯端末を経由して、前記訪問履歴管理装置に訪問登録を行うことを特徴とする現場訪問登録方法。
【請求項３】
請求項１に記載の現場訪問登録方法であって、
前記携帯端末は、位置情報を取得する位置情報取得機能を有し、
一つの前記携帯端末は、当該携帯端末の位置情報と訪問登録要求信号とを前記訪問履歴管理装置に送信し、
前記訪問履歴管理装置は、前記訪問登録要求の承認要求信号を他の前記携帯端末に送信し、
他の前記携帯端末は、当該携帯端末の位置情報と前記訪問登録要求の承認信号を前記訪問履歴管理装置に送信し、
前記訪問履歴管理装置は、一つの前記携帯端末の位置情報と他の前記携帯端末の位置情報とに基づいて両携帯端末が所定範囲内にあると判断した場合に訪問登録を行うことを特徴とする現場訪問登録方法。
【発明の詳細な説明】
【技術分野】
【０００１】
本発明は、現場訪問登録方法に関し、特に、作業者が現場を訪問したことを、現場訪問の履歴を管理する訪問履歴管理装置に登録する現場訪問登録方法に関する。
【背景技術】
【０００２】
エスカレーターやエレベーターでは、定期的に作業者による保守点検が行われている。この保守点検が実施されたか否かは、遠隔地にある遠隔管理装置によって管理されている。遠隔管理装置は、現場の作業者からの保守点検の開始、終了等の連絡を受信することによって保守点検の実施状態を登録して管理している。
【０００３】
特に、特許文献１には、作業者が携帯する携帯端末の位置情報に基づいて、作業者が保守点検現場を訪問したことを判断して、保守点検作業開始の登録を促すメールを作業者の携帯端末に送信する技術が記載されている。
【０００４】
また、遠隔地の監督者が、現場の作業者の作業内容や作業結果を確認するために、遠隔地からそれらを確認、承認する技術が特許文献２、３に記載されている。具体的には、特許文献２には、遠隔地の監督者と現場の作業者との間を、映像、音声等の情報伝達手段で接続し、監督者が作業者による現場作業結果の承認を行う技術が記載されている。特許文献３には、サーバ装置の保守運用を行う際に、操作者が入力した操作コマンドを、遠隔地の承認者が確認して、サーバ装置への操作コマンドの入力を実行する技術が記載されている。
【先行技術文献】
【特許文献】
【０００５】
【特許文献１】特開２０１４−０５１３７６号公報
【特許文献２】特開２００５−１０００８７号公報
【特許文献３】特開２０１４−０１０５７０号公報
【発明の概要】
【発明が解決しようとする課題】
【０００６】
上述したように、保守点検のために作業者が現場を訪問したことを遠隔管理装置（訪問履歴管理装置）に登録して保守点検の作業履歴を管理している。エレベーターの保守点検には、メンテナンスコンピュータ（以下、メンテコンという）が使用されることが多い。メンテコンは、エレベーターに接続して使用され、エレベーターにメンテコンが接続されると、作業者が現場を訪問したことが訪問履歴管理装置に登録される。
【０００７】
しかし、エレベーターの機種には、メンテコンに対応していない機種、例えば、リレーを用いた旧機種のエレベーターがあり、また、メンテコンに対応していないエスカレーター等も存在する。これらの機種はメンテコンによる訪問登録を行うことができない。また、メンテコンを接続可能なエレベーターでも、簡易な保守点検である場合にはメンテコンを接続しないこともある。
【０００８】
このような、メンテコンによる現場訪問登録を行うことができない場合、メンテコン以外の現場訪問登録方法が必要である。メンテコンを使用しない訪問登録には、例えば、エレベーター等の制御盤に付与されているＩＤ番号等を読み取って、このＩＤ番号を作業者が携帯する携帯端末を用いて、訪問履歴管理装置に送信することが考えられる。
【０００９】
しかし、制御盤のＩＤ番号を読み取る作業に時間を要し、また、簡易な保守点検では、この保守点検以外にＩＤ番号読み取り作業が余計に発生する可能性もある。
【００１０】
そこで、本発明では、複数の作業者が現場を訪問したときに、作業者が携帯する携帯端末を利用して簡易な方法で訪問履歴管理装置に訪問登録を行うことを目的とする。
【課題を解決するための手段】
【００１１】
本発明の現場訪問登録方法は、作業者が現場を訪問したことを、現場訪問の履歴を管理する訪問履歴管理装置に登録する現場訪問登録方法であって、前記現場を訪問する複数の前記作業者がそれぞれ携帯する携帯端末のうち一つの携帯端末から、当該携帯端末の近傍に位置する他の携帯端末を利用して、前記訪問履歴管理装置に訪問登録を行うことを特徴とする。
【００１２】
また、前記携帯端末は、近距離間において他の前記携帯端末と通信可能な近距離無線通信機能を有し、一つの前記携帯端末は、前記近距離無線通信機能により他の前記携帯端末を探し出して通信し、他の前記携帯端末を経由して、前記訪問履歴管理装置に訪問登録を行うことを特徴とする。
【００１３】
また、前記携帯端末は、位置情報を取得する位置情報取得機能を有し、一つの前記携帯端末は、当該携帯端末の位置情報と訪問登録要求信号とを前記訪問履歴管理装置に送信し、前記訪問履歴管理装置は、前記訪問登録要求の承認要求信号を他の前記携帯端末に送信し、他の前記携帯端末は、当該携帯端末の位置情報と前記訪問登録要求の承認信号を前記訪問履歴管理装置に送信し、前記訪問履歴管理装置は、一つの前記携帯端末の位置情報と他の前記携帯端末の位置情報とに基づいて両携帯端末が所定範囲内にあると判断した場合に訪問登録を行うことを特徴とする。
【発明の効果】
【００１４】
本発明によれば、複数の作業者が現場を訪問したときに、作業者が携帯する携帯端末を利用して簡易な方法で訪問履歴管理装置に訪問登録を行うことができる。このため、煩雑な手間がかかる制御盤のＩＤ番号を読み取る必要がなくなり、訪問登録を簡単に行うことが可能になる。
【図面の簡単な説明】
【００１５】
【図１】訪問履歴管理システムのブロック図である。
【図２】スマートフォンのブロック図である。
【図３】第１の実施形態を示す訪問履歴管理システムの制御シーケンス図である。
【図４】第１の実施形態を示すスマートフォンの制御フローチャートである。
【図５】第２の実施形態を示す訪問履歴管理システムの制御シーケンス図である。
【図６】第２の実施形態を示す訪問履歴管理サーバの制御フローチャートである。
【発明を実施するための形態】
【００１６】
第１の実施形態について図１〜４を参照して説明する。例えば、２人の作業者Ａ，Ｂが、図示しないエスカレーターの保守点検を行うためにエスカレーターが設置されているビル等の建物（現場）に行った場合について説明する。
【００１７】
図１に示すように、訪問履歴管理システム１は、作業者Ａ，Ｂが現場を訪問したことを管理する訪問履歴管理装置としての訪問履歴管理サーバ２と、公衆回線網Ｎを介して訪問履歴管理サーバ２と接続可能な携帯端末としてのスマートフォン３Ａ，３Ｂとを備えている。
【００１８】
作業者Ａ，Ｂは、現場に行くときに、スマートフォン３Ａ，３Ｂをそれぞれ携帯する。すなわち、作業者１人についてスマートフォン１台を携帯している。スマートフォン３Ａ，３Ｂとしては、市販されている一般的なスマートフォンを使用することができる。
【００１９】
図２に示すように、スマートフォン３Ａは、現場を訪問したことを訪問履歴管理サーバ２に登録するための専用のアプリケーションプログラム（以下、訪問登録アプリという）を保存するメモリ３１と、アプリケーションプログラムに基づいて各種処理を行うＣＰＵ３２と、公衆回線網Ｎを介して訪問履歴管理サーバ２と通信を行う通信部３３と、スマートフォン３Ｂと通信を行う近距離無線通信部３４と、自身の位置情報を取得する位置情報取得部３５とを備えている。なお、上述の構成を備えていれば、スマートフォンに限らず、タブレットや専用携帯端末等を携帯端末として使用することができる。
【００２０】
近距離無線通信部３４は、数メートル程度の領域内で通信を行う無線通信部であり、例えば、無線ＬＡＮ、ＮＦＣ（Ｎｅａｒ Ｆｉｅｌｄ  Ｃｏｍｍｕｎｉｃａｔｉｏｎ）を使用することができる。位置情報取得部３５は、スマートフォン３Ａの位置情報を取得する公知のＧｌｏｂａｌ Ｐｏｓｉｔｉｏｎｉｎｇ Ｓｙｓｔｅｍである。
【００２１】
訪問登録アプリでは、現場を訪問したときに、現場を訪問したこと以外にも、各種登録項目を設定することができる。例えば、建物番号、エスカレーター号機番号、日付時刻、作業者Ａ，Ｂの情報、作業者Ａ，Ｂの位置情報等を同時に登録することができる。
【００２２】
次に、図３、４を参照して、現場にいる作業者Ａ，Ｂによる訪問履歴管理サーバ２への訪問登録について説明する。図３に示すように、作業者Ａは、自身が携帯するスマートフォン３Ａを操作して、作業者Ｂが携帯するスマートフォン３Ｂを経由して、訪問履歴管理サーバ２に訪問登録を行う。作業者Ａが携帯するスマートフォン３Ａの制御に関して、図４のフローチャートを参照して詳しく説明する。
【００２３】
図４のフローチャートのステップＳ１０において、作業者Ａは、自身が携帯しているスマートフォン３Ａの訪問登録アプリを起動して、作業者Ｂが携帯しているスマートフォン３Ｂに対して訪問登録要求を行う処理を開始する。ステップＳ１０において、訪問登録要求を行っていない場合（Ｎｏ）、フローチャートを終了する。また、訪問登録要求を行う場合（Ｙｅｓ）、ステップＳ１１に進む。
【００２４】
ステップＳ１１では、作業者Ｂのスマートフォン３Ｂを探す。すなわち、スマートフォン３Ａの近距離無線通信部３４による近距離通信によって作業者Ｂのスマートフォン３Ｂとの通信接続の試みを開始してステップＳ１２に進む。
【００２５】
ステップＳ１２では、作業者Ｂのスマートフォン３Ｂを探し出しと同時にタイマーをスタートする。このタイマーは、作業者Ｂのスマートフォン３Ｂを探す時間である。
【００２６】
ステップＳ１３では、タイマーの時間内に、作業者Ｂのスマートフォン３Ｂを探す出すことができたか、すなわち、作業者Ｂのスマートフォン３Ｂと通信接続を確立することができたかを判断する。タイマーの時間内に、作業者Ｂのスマートフォン３Ｂとの通信接続を確立することができた場合（Ｎｏ）、ステップＳ１４に進む。
【００２７】
一方、タイマーの時間に、作業者Ｂのスマートフォン３Ｂとの通信接続を確立することができない場合（Ｙｅｓ）、タイムアウトになり、ステップＳ１０に戻る。なお、このタイムアウトになる場合としては、作業者Ｂが作業者Ａの近くにいない場合がある。
【００２８】
ステップＳ１４では、作業者Ｂのスマートフォン３Ｂとの通信接続を確認する。作業者Ｂのスマートフォン３Ｂとの通信接続を確立できていれば、作業者Ｂのスマートフォン３Ｂを探し出せたと判断（Ｙｅｓ）して、ステップＳ１５に進む。また、作業者Ｂのスマートフォン３Ｂとの通信接続を確立できているが、作業者Ｂが見当たらない場合（Ｎｏ）、ステップＳ１３に戻る。
【００２９】
ステップＳ１５では、作業者Ｂのスマートフォン３Ｂに対して、訪問履歴管理サーバ２に対する訪問登録要求を送信してステップＳ１６に進む。すなわち、作業者Ｂのスマートフォン３Ｂを経由して、訪問履歴管理サーバ２に訪問登録要求を行う。このとき、建物番号、エスカレーター号機番号、日付時刻、作業者Ａ，Ｂの情報等も登録される（図３の符号Ｓ１５参照）。
【００３０】
ステップＳ１６では、作業者Ｂのスマートフォン３Ｂへの訪問登録要求の送信が完了したかを確認する。作業者Ｂのスマートフォン３Ｂへの訪問登録要求の送信が完了している場合（Ｙｅｓ）、フローチャートを終了する。作業者Ｂのスマートフォン３Ｂへの訪問登録要求の送信が完了していない場合（Ｎｏ）、送信が完了するまで送信を繰り返す。
【００３１】
また、ステップＳ１６において、作業者Ｂのスマートフォン３Ｂへの訪問登録要求の送信が完了した場合には、図３に示すように、作業者Ａのスマートフォン３Ａから作業者Ｂのスマートフォン３Ｂへ訪問登録要求が送信される。
【００３２】
そして、スマートフォン３Ｂがスマートフォン３Ａからの訪問登録要求を受信すると、スマートフォン３Ｂは、公衆回線網Ｎを介して、作業者Ａが現場を訪問したことを示す訪問登録要求の信号を、訪問履歴管理サーバ２に送信する。訪問履歴管理サーバ２は、作業者Ｂのスマートフォン３Ｂからの訪問登録要求の信号を受信すると、作業者Ａが現場を訪問したことを登録する（図３の符号Ｓ１６参照）。
【００３３】
なお、スマートフォン３Ｂにおいて、スマートフォン３Ａからの訪問登録要求を受信したときに、作業者Ｂが、作業者Ａの訪問登録要求の信号を訪問履歴管理サーバ２に送信する動作を追加してもよい。
【００３４】
このように、作業者Ａ，Ｂで現場を訪問したときに、作業者Ａ，Ｂが携帯するスマートフォン３Ａ，３Ｂを利用して、現場を訪問したことを訪問履歴管理サーバ２に登録することができる。このため、簡易な方法によって訪問履歴管理サーバ２に訪問登録を行うことができる。その結果、煩雑な手間がかかる制御盤のＩＤ番号等を読み取る必要がなくなり、訪問登録を簡単に行うことが可能になる。
【００３５】
また、訪問履歴管理サーバ２に訪問登録を行うためには、２人の作業者Ａ、Ｂが現場にいる必要があり、例えば、単独の作業者による不正な訪問登録を抑制することができる。
【００３６】
また、訪問履歴管理サーバ２に訪問登録を行うためには、２人の作業者Ａ，Ｂが現場にいる必要があり、第１の実施形態では、スマートフォン３Ａ，３Ｂが近距離無線通信を行えることをもって作業者Ａ，Ｂが同じ現場にいることを確認している。このため、例えば、単独の作業者による不正な訪問登録を抑制することができる。
【００３７】
次に、第２の実施形態について図５、６を参照して説明する。第２の実施形態における訪問履歴管理システム１の構成は、第１の実施形態における訪問履歴管理システム１の構成と同様である。第２の実施形態では、訪問を登録する方法が第１の実施形態とは異なっている。このため、第２の実施形態では、第１の実施形態において説明した構成要素と同様の構成要素には、同一の符号を付して重複する説明を省略する。
【００３８】
図５に示すように、作業者Ａは、自身が携帯するスマートフォン３Ａを操作して、訪問履歴管理サーバ２に訪問登録を要求する。訪問履歴管理サーバ２は、スマートフォン３Ｂ（作業者Ｂ）に対して、この訪問登録要求に基づき訪問登録を行ってよいかの承認を求めて、スマートフォン３Ｂから承認する旨の返信を受領後、作業者Ａの訪問を登録する。訪問履歴管理サーバ２の制御に関して、図６のフローチャートを参照して詳しく説明する。
【００３９】
まず、図５に示すように、作業者Ａは、現場に到着すると、スマートフォン３Ａの訪問登録アプリを起動して、スマートフォン３Ａから公衆回線網Ｎを介して訪問履歴管理サーバ２に訪問登録を要求する。このとき、訪問登録要求の信号とともに、スマートフォン３Ａの位置情報も送信される。また、建物番号、エスカレーター号機番号、日付時刻、作業者Ａの情報等も送信される（図５の符号Ｓ２０参照）。
【００４０】
図６のフローチャートのステップＳ２１において、訪問履歴管理サーバ２は、作業者Ａのスマートフォン３Ａからの訪問登録の要求の有無を確認する。スマートフォン３Ａから訪問登録要求の信号及び位置情報が送信されていれば、すなわち、訪問登録の要求がある場合（Ｙｅｓ）、訪問登録の要求とともに、スマートフォンの位置情報も取得して、ステップＳ２２に進む。訪問登録の要求がない場合（Ｎｏ）、フローチャートを終了する。
【００４１】
ステップＳ２２では、作業予定リストから、作業者Ａと同じ現場で作業を行う共同作業者である作業者Ｂを探し出してステップＳ２３に進む。
【００４２】
ステップＳ２３では、作業者Ｂが携帯するスマートフォン３Ｂに、作業者Ａからの訪問登録要求の承認を要求する信号を送信する。すなわち、作業者Ｂに対して、作業者Ａからの訪問登録要求を許可してもよいかどうか確認するための信号を送信する（図５の符号Ｓ２３参照）。
【００４３】
ステップＳ２４では、作業者Ｂのスマートフォン３Ｂに承認要求の信号送信と同時にタイマーをスタートする。このタイマーは、作業者Ｂが訪問登録要求の承認を行うための時間である。
【００４４】
ステップＳ２５では、タイマーの時間内に、作業者Ｂが訪問登録要求の承認を行ったか否かを判断する。タイマーの時間内に、作業者Ｂが訪問登録要求の承認を行った場合（Ｎｏ）、ステップＳ２６に進む。
【００４５】
一方、タイマーの時間に、作業者Ｂが訪問登録要求の承認を行わなかった場合（Ｙｅｓ）、タイムアウトになり、ステップＳ２１に戻る。なお、このタイムアウトになる場合としては、作業者Ｂが作業者Ａと同じ現場にいない場合がある。
【００４６】
ステップＳ２６では、作業者Ｂが訪問登録要求の承認を行ったかを確認する。作業者Ｂが訪問登録要求の承認を行っている場合（Ｙｅｓ）、ステップＳ２７に進む（図５の符号Ｓ２６参照）。作業者Ｂが訪問登録要求の承認を行っていない場合（Ｎｏ）、ステップＳ２５に戻る。
【００４７】
ステップＳ２７では、スマートフォン３Ａ，３Ｂの位置情報、つまり、作業者Ａ，Ｂの位置を比較してステップＳ２８に進む。
【００４８】
ステップＳ２８では、スマートフォン３Ａ，３Ｂの位置情報を比較した結果、スマートフォン３Ａ，３Ｂが所定範囲内にあるか、すなわち、作業者Ａ，Ｂが互いに近傍（同じ現場）にいるかを判断する。スマートフォン３Ａ，３Ｂが所定範囲内にある場合（Ｙｅｓ）、つまり、作業者Ａ，Ｂが同じ場所（現場）にいる場合、ステップＳ２９に進む。また、スマートフォン３Ａ，３Ｂが所定範囲内にない場合（Ｎｏ）、つまり、作業者Ａ，Ｂが離れた場所にいる場合、ステップＳ２１に戻る。
【００４９】
ステップＳ２９では、作業者Ａと作業者Ｂとが同じ現場にいて、作業者Ｂは、作業者Ａからの訪問登録要求を承認していると判断して、作業者Ａからの訪問登録の要求を認めて訪問登録を行う。すなわち、作業者Ａが現場を訪問したことを登録する（図５の符号Ｓ２９参照）。
【００５０】
第２の実施形態においても、第１の実施形態と同様の効果を得ることができる。つまり、作業者Ａ，Ｂの２人で現場を訪問したときに、作業者Ａ，Ｂが携帯するスマートフォン３Ａ，３Ｂを利用して、現場を訪問したことを訪問履歴管理サーバ２に登録することができる。このため、簡易な方法によって訪問履歴管理サーバ２に訪問登録を行うことができる。その結果、煩雑な手間がかかる制御盤のＩＤ番号等を読み取る必要がなくなり、訪問登録を簡単に行うことが可能になる。
【００５１】
また、訪問履歴管理サーバ２に訪問登録を行うためには、２人の作業者Ａ，Ｂが現場にいる必要があり、第２の実施形態では、スマートフォン３Ａ，３Ｂの位置情報に基づいて、作業者Ａ，Ｂが同じ現場にいることを確認している。このため、例えば、単独の作業者による不正な訪問登録を抑制することができる。
【００５２】
なお、上述した第１、２の実施形態では、作業者Ａ，Ｂの２人の場合について説明したが、２人に限らずに３人以上でもよい。３人以上である場合、このうち、訪問を登録する作業者が、他の作業者のスマートフォンを経由して訪問履歴管理サーバ２に登録すればよい。
【符号の説明】
【００５３】
１  訪問履歴管理システム、２  訪問履歴管理サーバ、３Ａ，３Ｂ  スマートフォン、３１  メモリ、３２  ＣＰＵ、３３  通信部、３４  近距離無線通信部、３５  位置情報取得部、Ａ，Ｂ  作業者、Ｎ  公衆回線網。
【図１】
2018116461.tif 000003
【図２】
2018116461.tif 000004
【図３】
2018116461.tif 000005
【図４】
2018116461.tif 000006
【図５】
2018116461.tif 000007
【図６】
2018116461.tif 000008